(57)【要約】【課題】コンパクトで薄型で、経時での光源の光量変動に関して各画素毎の経時変化を補正しなくて良い露光光源を提供する。【解決手段】透明基板と、前記透明基板内へ光を入射する発光素子と、前記透明基板上にアレー状に形成され、前記透明基板内で全反射を繰り返した光を前記透明基板外に放射する光に変換する光シャッターアレーと、を備えた露光光源であって、画像情報に基づき前記光シャッターアレーの動作を制御し、感光材料へのパターン露光を行うもので、発光素子として有機または無機ＥＬ素子を、光シャッターアレーとして透過型電気機械式光スイッチ素子を用い、さらに透明基板から漏洩した光の光量を検出する光量検出手段を設けた。【選択図】    図１
2004327709.tif 000002
【特許請求の範囲】
【請求項１】
透明基板と、前記透明基板内へ光を入射する発光素子と、前記透明基板上にアレー状に形成され、前記透明基板内で全反射を繰り返した光を前記透明基板外に放射する光に変換する光シャッターアレーと、を備えた露光光源であって、画像情報に基づき前記光シャッターアレーの動作を制御し、感光材料へのパターン露光を行うことを特徴とする光シャッターアレー変調型露光光源。
【請求項２】
前記発光素子が前記透明基板面上に形成された有機または無機ＥＬ素子であることを特徴とする請求項１記載の露光光源。
【請求項３】
前記ＥＬ素子が前記透明基板面上の領域で前記光シャッターアレーとは異なる領域に形成されたことを特徴とする請求項２記載の露光光源。
【請求項４】
前記発光部の面積が、前記光シャッターアレー部の面積よりも大きいことを特徴とする請求項２記載の露光光源。
【請求項５】
前記透明基板から漏洩した光の光量を検出する光量検出手段を設けたことを特徴とする請求項１〜４のいずれか１項記載の露光光源。
【請求項６】
光シャッターが、静電力または圧電効果で駆動される、拡散層を備えた膜の接触／非接触を切り替える機構であることを特徴とする請求項１〜５のいずれか１項記載の露光光源。
【請求項７】
前記透明基板の表面に反射膜を形成したことを特徴とする請求項１〜６のいずれか１項記載の露光光源。
【請求項８】
前記発光素子で形成する発光部が同一透明基板上に複数箇所あることを特徴とする請求項１〜７のいずれか１項記載の露光光源。
【請求項９】
Ｒ・Ｇ・Ｂの３原色に対応する波長域の３個の露光光源を備えたことを特徴とする請求項１〜８のいずれか１項記載の露光光源。
【請求項１０】
請求項５〜９のいずれか１項記載の露光光源の光量を制御する光量制御方法であって、前記光量検出手段の出力を用いてその光量が一定になるように、前記発光素子の駆動電流または電圧を制御することを特徴とすることを特徴とする露光光源の光量制御方法。
【発明の詳細な説明】
【０００１】
【発明の属する技術分野】
本発明は、光シャッターアレー変調型の露光光源に関するもので、特に、写真印画紙をデジタル露光するためのものに関する。
【０００２】
【従来の技術】
従来より、光シャッターアレー変調型の露光光源自体は知られている（例えば、特許文献１〜３参照）。
【０００３】
【特許文献１】
特開平５−１４２６５９号公報
【特許文献２】
特開平６−２６６０１８号公報
【特許文献３】
特開平７−２２６４９号公報
【０００４】
特許文献１記載の発明は、ＰＬＺＴ光シャッターのオフ時の遮光率を１００％にすることができ、しかも光源を切らずに遮光することができて高速露光、高品質露光を可能とするために成されたもので、そのために感光材料の移送方向と直交する方向に設けたライン状のＰＬＺＴ光シャッターによって移送中の感光材料にライン露光する露光装置において、光源と、ＰＬＺＴ光シャッターと、光質変調フィルター部と、光質変調フィルター駆動機構部と、指示されたタイミングで指示された光質になるように光質変調フィルター駆動機構部を制御するフィルター駆動機構制御部とを設け、光質変調フィルター部は複数枚の光質変調フィルターを光源の光路方向に列設して構成し、かつ各光質変調フィルターをＰＬＺＴ光シャッターと光源との間の光路にそれぞれ独立して進入若しくは後退させるように光質変調フィルター駆動機構部を構成して成るものである。
【０００５】
また、特許文献２記載の発明は、写真焼付けの際に通常プリントの他にインデックスプリントを通常プリントと同じ大きさに自動的に焼付け、作業能率の向上を図るためになされたもので、そのためにプリンタ本体内に投影露光ステージとディジタル画像露光ステージと現像処理部を設け、投影露光ステージでは光源、レンズ、シャッタ等から成る投影露光手段で通常プリントを露光し、ディジタル画像露光ステージでは、光学読取器により読取られたフィルムの画像データをディジタル信号として制御部の指令により光源部からの光を光ファイバ束を介して照射してＰＬＺＴプリントヘッドを駆動しインデックスプリントを露光するものである。
【０００６】
また、特許文献３記載の発明は、全体として小型でかつ軽量な光記録装置を提供し、また、一般に容易に入手できる市販フィルムの様な記録媒体にカラー画像情報に基づいた記録を行うことが出来るランニングコストの安い光記録装置を提供するためになされたもので、そのために発光色別に複数列設けられたドットアレイ状の有機薄膜電解発光素子で構成された光書込みユニットの各発光素子を、外部から入力する色階調情報を含む信号に基づき前記発光素子を色別に駆動する信号を発生する駆動回路からの駆動信号により発光させ、この発光光によって写真フィルムを露光し、画像情報に基づく画像を記録するものである。
【０００７】
ところが上記特許文献１および２記載のものはランプ光源の光を複数の光シャッターでアレー変調するものであるが、これの欠点はランプから放射する光を用いるので、光学系が大きくなってしまう、ということである。
また、特許文献３記載のものは複数の有機ＥＬ素子を画素ごとに１つづつ配列し、それぞれの発光輝度を電流値制御してアレー変調するものであるが、この欠点は、上記特許文献１および２記載のものに比べ薄型化可能でコンパクトにできるものの、各画素毎の経時劣化率が異なるため一定の輝度を得るための経時補正機構が複雑になるということである。
【０００８】
【発明が解決しようとする課題】
そこで本発明の目的は上記課題を解決するためになされたもので、コンパクトでかつ、経時の光量変化を補正することの容易な露光光源を実現することにある。
【０００９】
【課題を解決するための手段】
そこで上記目的を達成するため、請求項１記載の光シャッターアレー変調型露光光源の発明は、透明基板と、前記透明基板内へ光を入射する発光素子と、前記透明基板上にアレー状に形成され、前記透明基板内で全反射を繰り返した光を前記透明基板外に放射する光に変換する光シャッターアレーと、を備えた露光光源であって、画像情報に基づき前記光シャッターアレーの動作を制御し、感光材料へのパターン露光を行うことを特徴とする。
このような構成により、基板上の薄膜構造で露光ヘッドを実現できるので、従来装置にないコンパクトで薄型のアレー型露光光源を実現できるようになる。
【００１０】
請求項２記載の発明は、請求項１記載の露光光源において、前記発光素子が前記透明基板面上に形成された有機または無機ＥＬ素子であることを特徴とする。
このような構成により、基板上の有機または無機ＥＬ素子で発光部を実現できるので、さらに従来装置にないコンパクトで薄型のアレー型露光光源を実現できるようになる。
【００１１】
請求項３記載の発明は、請求項２記載の露光光源において、前記ＥＬ素子が前記透明基板面上の領域で前記光シャッターアレーとは異なる領域に形成されたことを特徴とする。
このような構成により、設計の自由度が増すようになる。
【００１２】
請求項４記載の発明は、請求項２記載の露光光源において、前記発光部の面積が、前記光シャッターアレー部の面積よりも大きいことを特徴とする。
このような構成により、発光部対光シャッターが１対１に対応している露光光源と比べて平均輝度を低減し、素子の長寿命化、経時信頼性を向上することができる。
【００１３】
請求項５記載の発明は、請求項１〜４のいずれか１項記載の露光光源において、前記透明基板から漏洩した光の光量を検出する光量検出手段を設けたことを特徴とする。
以上の構成により、個々の発光素子の光量変化を見る必要が無く、経時光量変化補正の容易な露光光源を得ることができるようになる。
【００１４】
請求項６記載の発明は、請求項１〜５のいずれか１項記載の露光光源において、光シャッターが、静電力または圧電効果で駆動される、拡散層を備えた膜の接触／非接触を切り替える機構であることを特徴とする。
このような構成により、基板上の薄膜構造で光シャッターが実現できるので、従来装置にないコンパクトで薄型のアレー型露光光源を実現できるようになる。
【００１５】
請求項７記載の発明は、請求項１〜６のいずれか１項記載の露光光源において、前記透明基板の表面に反射膜を形成したことを特徴とする。
このような構成により、光を透明基板内に閉じ込めて有効利用することができるようになる。
【００１６】
請求項８記載の発明は、請求項１〜７のいずれか１項記載の露光光源において、前記発光素子で形成する発光部が同一透明基板上に複数箇所あることを特徴とする。
このような構成により、光量バラツキを低減して、信頼性を向上させることができ、また１個が故障しても正常動作を続行することができるようになる。
【００１７】
請求項９記載の発明は、請求項１〜８のいずれか１項記載の露光光源において、Ｒ・Ｇ・Ｂの３原色に対応する波長域の３個の露光光源を備えたことを特徴とする。
以上の構成により、コンパクトでかつ経時光量変化補正の容易なフルカラーの露光光源を得ることができるようになる。
【００１８】
請求項１０記載の発明は、請求項５〜９のいずれか１項記載の露光光源の光量を制御する光量制御方法であって、前記光量検出手段の出力を用いてその光量が一定になるように、前記発光素子の駆動電流または電圧を制御することを特徴とする。
以上の構成により、コンパクトでかつ経時光量変化補正の容易な露光光源を得ることができるようになる。
【００１９】
【発明の実施の形態】
以上、本発明の各実施の形態について図面を用いて詳細に説明する。
〈第１実施の形態〉
図１は本発明の実施の形態に係る光シャッターアレー変調型露光光源で、有機ＥＬを光源として使用した写真印画紙の露光ヘッドの概念斜視図である。
図において、１０は光シャッターアレー変調型露光光源、１１はガラス基板（透明基板）、１２は透明基板１１内へ光を入射する発光部で、ここでは有機ＥＬ発光部を使用している。１３は透明基板１１の上にアレー状に形成され、透明基板１１内で全反射を繰り返した光を透明基板１１の外に放射する光に変換する光シャッターアレー、１４はセルフォックレンズアレー、１５は透明基板１１から漏洩した光の光量を検出する光量検出手段で、１６は発光部１２の駆動回路、１７は画像情報に基づき、印画紙の搬送と同期して、光シャッターアレーのＯＮ／ＯＦＦを制御する画像制御回路である。なお、Ｐは印画紙である。
【００２０】
図１の有機ＥＬ発光部１２は、陽極、有機発光層、陰極を積層して形成し、陽極、陰極間に電圧を印加することにより、有機発光層で、電荷が再結合し有機ＥＬの発光が起こる。有機発光層は、最低限発光層を含み、その他、ホール輸送層、電子輸送層などを含んでも良い。
図２は、図１の有機ＥＬ発光部１２のＡ−Ａ縦断面図である。
図において、１１は透明基板、１２１は透明陽極（ＩＴＯ）、１２２はホール輸送層、１２３は発光層、１２４は電子輸送層、１２５は陰極である。ホール輸送層１２２と発光層１２３と電子輸送層１２４とが有機層で構成される。
有機ＥＬの発光は、指向性がないため全方位に均等に光が伝搬する。このとき、ガラス基板に対して、浅い角度で、発生した光の成分は、空気中に放出されず、ガラス基板内で、全反射を繰り返す基板内伝搬モードとなる。基板内伝搬モードの光は、全反射を繰り返して、機械式光変調素子が、アレー配列された領域へ伝搬する。
【００２１】
図３は図１の透明基板１１、光シャッターアレー１３、セルフォックレンズアレー１４の積層する積層部分Ｂ−Ｂの縦断面図である。
図において、透明基板１１の上に配置された光シャッターアレー１３は複数の光シャッターが１次元又は２次元配置されて成る。セルフォックレンズアレー１４が光シャッターアレー１３の出光側に設けられている。
このセルフォックレンズアレー１４は、セルフォックレンズの一方の端面から入射した光が他方の端面から出て一定距離隔てたところに結像するので、結像点を印画紙Ｐの上になるようにしておく。
そうすれば各光シャッター１３から出た光はセルフォックレンズ１４に入光し、セルフォックレンズ１４を通ってセルフォックレンズ１４の出光側の印画紙Ｐの上に結像するようになる。
【００２２】
次に、図１の発明の第１実施の形態に係る光シャッターアレー変調型露光光源の動作について説明する。
有機ＥＬ発光部１２から発した光は、ガラス基板１１上に入射する。ガラス基板１１上に入射した光は、ガラス基板１１内を全反射しながら図の左から右に進み、光シャッターアレー１３に到達する。光シャッターアレー１３は後述するように多数の光シャッターが１次元又は２次元に配列されたものであるから、デジタル画像情報に基づき画像制御回路１７が多数の光シャッターのうち所望のシャッターをＯＮ（開口）する。光シャッターが開口すると、そこから射出した光は、セルフォックレンズアレー１４で印画紙Ｐの露光面上に結像される。
また、光シャッターの開口時間を制御することにより露光量が調整される。
【００２３】
このように露光が終わったら、印画紙Ｐを光シャッターアレー変調型露光光源１０に対して所定行分相対移動させ、再び多数の光シャッターのうち所望の光シャッターを露光する。
以下、これを繰り返すことにより印画紙Ｐ上に定められた２次元パターンの露光を行ない、例えば図のような文字「Ａ」を印画紙Ｐに露光することができる。
このように、発明の第１実施の形態に係る光シャッターアレー変調型露光光源によれば、透明基板上の薄膜構造で、従来装置にないコンパクトで薄型のアレー型露光光源を用いるので全体を小型化できるようになる。
【００２４】
また、有機ＥＬ１２は透明基板１１面上の領域で光シャッターアレー１３とは異なる領域に形成され、そこで全反射で移動することを特徴としている。
このように構成することにより、設計の自由度が増すようになる。
他に、発光輝度の面内ばらつきが緩和され、均一な露光が可能となる、という効果が得られる。
【００２５】
〈第２実施の形態〉
また、本発明の第２実施の形態によれば、光量検出手段１５を透明基板１１に設けて、透明基板１１から漏洩した光の光量を検出している。
具体的には、透明基板１１の側面の一部に光取り出し部を設け、そこにフォトダイオードを取り付けて成るものである。
光シャッターアレー変調型露光光源１０に使用される有機ＥＬ発光部１２が経年変化により発光光量が少なくなると、光量検出手段１５が光量変化を検知して、発光部駆動回路１６へ入力し、発光部駆動回路１６は、発光部１２に与える電圧又は電流を変化させて、発光部１２から発する光の光量が所定の光量になるように発光部１２を駆動する。
このようにして、有機ＥＬ発光部は光量モニターの強度を一定に保つように電流値を制御されるので、簡単な構成で常に正確な露光光が得られることとなる。
【００２６】
〈第３の実施の形態〉
第３の実施の形態としては、光シャッターとしてコンパクト化可能な静電効果を使って膜を上下させる光シャッターを用いるものであ。
図４はこの光シャッターアレーの構成の１例を示す縦断面図で、（ａ）は非動作時（電圧無印加時）、（ｂ）は動作時（電圧印加時）である。
図４（ａ）および（ｂ）において、１３は透過型電気機械式光スイッチ（ＭＥＭＳ）素子、１１は透明基板、１３１は透明電極、１３２は透明基板上に立設された２本の柱材、１３３は２本の柱材１３２で両支持された中空構造の薄膜透明梁、１３４は薄膜透明梁１３３の上に設けられた透明電極（可動電極）である。
【００２７】
透明電極１３１と可動電極１３４としては、電子密度の高いＩＴＯなどの金属酸化物、非常に薄い金属薄膜（アルミなど）、金属微粒子を透明絶縁体に分散した薄膜、又は高濃度ドープしたワイドハンドギャップ半導体などが好適である。
柱材１３２としては、シリコン酸化物、シリコン窒化物、セラミック、樹脂などを用いることができる。
薄膜透明梁１３３としては、ポリイミド、フォトレジスト、ポリカーボネート、ポリエチレン、ポリスチレン、その他樹脂、又はその他有機材料から構成することができる。
薄膜透明梁の中空構造は柱材１３２の高さで略決定される。中空構造の高さは、例えば、０．１μｍから１０μｍ程度が好ましい。この中空構造は、通常、犠牲層のエッチングにより形成される。
以上のような構造は、半導体プロセス技術を用いた薄膜形成、犠牲層エッチングなどの手法を駆使することによって作成可能である。
【００２８】
図４（ａ）のように、透明電極１３１と可動電極１３４との間に電圧が印加されないときは、透明電極１３１と可動電極１３４とが引き合わないので、薄膜透明梁１３３は動かず、したがって透明基板１１の中を伝播してきた全反射光は薄膜透明梁１３３を透過できない。
【００２９】
一方、図４（ｂ）のように、透明電極１３１と可動電極１３４との間に電圧が印加されると、透明電極１３１と可動電極１３４とが引き合い、薄膜透明梁１３３は透明電極１３１側に移動する。したがって透明基板１１の中を伝播してきた全反射光は薄膜透明梁１３３側に透過し可動電極１３４から出光する。
また、再び透明電極１３１と可動電極１３４との間の電圧を無くすと、静電気力が無くなり、薄膜透明梁１３３の弾性復帰力で図４（ａ）の状態に戻る。
【００３０】
この透過型電気機械式光スイッチ素子１３を多数個、一次元又は二次元に配列することにより、シンプルな構成で製造の簡単な光スイッチアレーを得ることができる。
【００３１】
以上のように光シャッター１３は静電力で薄膜透明梁１３３を透明基板１１上で上下させ、透明基板１１への接触と非接触を切り替えることができ、非接触状態では光は全反射で基板内に閉じ込められたままであるが、接触状態では全反射が破られ薄膜透明梁１３３内に進入するので、薄膜透明梁１３３の構成材料を拡散体にしておくことによって、透明基板１１内の伝搬モードの光を透明基板１１外へ放出する光に変換することができる。
薄膜透明梁１３３の接触時間を制御することによって、光量を調整することが可能である。
このような光シャッターを、デジタル情報の画素に対応させてアレー状に配列させている。
また、光シャッターとしては、静電効果に限らず、圧電効果による変形を用いても良い。
【００３２】
〈第４実施の形態〉
図５は本発明の第４実施の形態に係る透明基板の縦断面図である。
図において、１１は透明基板、１３は光シャッターアレー、１４はセルフォックレンズアレーで、１９は本発明により透明基板１１の表面に設けられた反射膜（金属膜）である。反射膜１９は金、銀、パラジウム、亜鉛、アルミニウム、ニッケル、金属酸化物等を蒸着形成して成るものである。
このように、光が漏れ出ては不都合な部分に金属膜を蒸着形成しておくことにより、光を閉じ込めて有効利用することができる。
【００３３】
〈第５実施の形態〉
図６は本発明の第５実施の形態に係る光シャッターアレー変調型露光光源の概念斜視図である。
図において、２０は光シャッターアレー変調型露光光源、１１は透明基板、１２１、１２２は有機ＥＬ発光部を使用した発光部、１３はＭＥＭＳを用いた光シャッターアレー、１４はセルフォックレンズアレー、１５は光量検出手段、１６は発光部駆動回路、１７は画像制御回路、Ｐは印画紙である。
透明基板１１の上に有機ＥＬから成る２個の発光部１２１、１２２が設けられているのが特徴である。このように２個の発光部１２ａ、１２ｂを同一透明基板１１上に設けて構成することにより、光量バラツキを低減することができ、しかも１個が故障しても正常動作を続行することができるので、信頼性を向上させることができる。
光量検出手段１５は発光部１２１、１２２の光量をそれぞれ別々に検出して、その検出値を発光部駆動回路１６に入力すればよい。発光部駆動回路１６はこの値を基に発光部１２１、１２２に与える電圧又は電流を変化させて、発光部１２から発する光の光量が所定の光量になるように発光部１２１、１２２を駆動するので、簡単な構成で常に正確な露光光が得られることとなる。
【００３４】
【第６の実施の形態】
図７は第６の実施の形態に係る光シャッターアレー変調型露光光源で、有機ＥＬを光源として使用した写真印画紙の露光ヘッドの概念斜視図である。
図において、３０は光シャッターアレー変調型露光光源、１１は透明基板、１２ａ、１２ｂ、１２ｃはそれぞれＲ、Ｇ、Ｂの光を発する有機ＥＬ発光部、１３は光シャッターアレー、１４はセルフォックレンズアレー、１５は光量検出手段で、１６は発光部駆動回路、１７は画像制御回路、Ｐは印画紙である。
第６の実施の形態は、それぞれＲ、Ｇ、Ｂの光を発する有機ＥＬ光源を透明基板１１の上に設けて成るものである。
【００３５】
Ｂ（青色）発光を示す色素分子にはアントラセン（ａｎｔｈｒａｃｅｎｅ）、シクロペンタジエン誘導体（ＰＰＣＰ：１，２，３，４，５−ｐｅｎｔａｐｈｅｎｙｌ−１，３−ｃｙｃｌｏｐｅｎｔａｄｉｅｎｅ）、ジスチルベンゼン（ＤＳＢ）、その誘導体（ＰＥＳＢ）などがある。
【００３６】
Ｇ（緑色）発光を示すものにはＡｌｑ２の他、ｔｒｉｓ（４−ｍｅｔｈｙｌ−８−ｑｕｉｎｏｌｉｎｏｌａｔｅ）ａｌｕｍｉｎｕｍｅ（ＩＩＩ  ）（Ａｌｍｑ３  ），コロネン（ｃｏｒｏｎｅｎｅ）などが挙げられる。
【００３７】
Ｒ（赤色）発光を示す材料としてはベリレン誘導体（ＢＰＰＣ：ＮＮ’−ｂｉｓ（２，５−ｄｉ−ｔｅｒｔ−ｂｕｔｙｌｐｈｅｎｙｌ）−３，４，９，１０−ｐｅｒｙｌｅｎｅｄｉ−ｃａｒｂｏｘｉｍｉｄｅ），ｐｅｒｙｌｅｎｅ，ＤＣＭ：４−（ｄｉ−ｃｙａｎｏｍｅｔｈｙｌｅｎｅ）−２−ｍｅｔｈｙｌ−６−（ｐ−ｄｉｍｅｔｈｙａｍｉｎｏｓｔｙｒｙｌ）−４Ｈ−ｐｙｒａｎ，Ｎｉｌｅ  ｒｅｄなどがあるが、特にＥｕ錯体（１，１０−ｐｈｅｎａｎｔｈｒｏｌｉｎｅ）−ｔｒｉｓ−（４，４，４−ｔｒｉｆｌｕｏｒｏ−１−（２−ｔｈｉｅｎｙｌ）−ｂｕｔａｎｅ−１，３−ｄｉｏｎａｔｅ）Ｅｕｒｏｐｉｕｍ（ＩＩＩ  ），（Ｅｕ（ＴＴＡ）３  ｐｈｅｎ）は６１４ｎｍに鋭い発光を持ち極めて単色性の高い発光材料として用いられる。
【００３８】
このように構成された露光光源３０において、それぞれＲ、Ｇ、Ｂの光を発する毎にデジタルの色情報に併せてその画素に対応した各光シャッターを開閉時間制御することにより、印画紙Ｐの上にＲ、Ｇ、Ｂ３色フルカラーの写真を露光できる感材用露光ヘッドを実現することが得られるようになる。
【００３９】
また、Ｒ、Ｇ、Ｂの光を発する有機ＥＬ発光部１２ａ、１２ｂ、１２ｃの経年変化は、光量検出手段１５が発光部１２ａ、１２ｂ、１２ｃの光量をそれぞれ別々に検出して、その検出値を発光部駆動回路１６に入力することにより、発光部駆動回路１６がこの値を基に発光部１２ａ、１２ｂ、１２ｃに与える電圧又は電流を変化させるので、簡単な構成で常に正確な露光光が得られることとなる。
【００４０】
【発明の効果】
以上のように、本発明によれば、
（１）    基板上の薄膜構造で、露光ヘッドを実現できるので、コンパクトで薄型のアレー型露光光源を実現できる。
（２）    経時での光源の光量変動に関して、各画素毎の経時変化を補正しなくて良いので、経時光量補正の制御が簡単になる。
（３）  有機ＥＬ素子を光シャッターに対応させて配列させる公知の場合に比較して、画素の配列、ピッチに関係なく発光面積を大きく出来るので、平均輝度を低減し、素子の長寿命化、経時信頼性を向上することができる、といった効果が得られる。
具体的には、請求項１記載の光シャッターアレー変調型露光光源によれば基板上の薄膜構造で露光ヘッドを実現できるので、従来装置にないコンパクトで薄型のアレー型露光光源を実現できるようになる。
請求項２記載の発明によれば、基板上の有機または無機ＥＬ素子で発光部を実現できるので、さらに従来装置にないコンパクトで薄型のアレー型露光光源を実現できるようになる。
請求項３記載の発明によれば、設計の自由度が増すようになる。
請求項４記載の発明によれば、発光部対光シャッターが１対１に対応している露光光源と比べて平均輝度を低減し、素子の長寿命化、経時信頼性を向上することができるようになる。
請求項５記載の発明によれば、個々の発光素子の光量変化を見る必要が無く、経時光量変化補正の容易な露光光源を得ることができるようになる。
請求項６記載の発明によれば、基板上の薄膜構造で光シャッターが実現できるので、従来装置にないコンパクトで薄型のアレー型露光光源を実現できるようになる。
請求項７記載の発明によれば、光を透明基板内に閉じ込めて有効利用することができるようになる。
請求項８記載の発明によれば、光量バラツキを低減して、信頼性を向上させることができ、また１個が故障しても正常動作を続行することができるようになる。
請求項９記載の発明によれば、コンパクトでかつ経時光量変化補正の容易なフルカラーの露光光源を得ることができるようになる。
請求項１０記載の発明によれば、コンパクトでかつ経時光量変化補正の容易な露光方法を得ることができるようになる。
【図面の簡単な説明】
【図１】本発明の実施の形態に係る光シャッターアレー変調型露光光源で、有機ＥＬを光源と使用した写真印画紙の露光ヘッドの概念斜視図である。
【図２】図１の有機ＥＬ発光部１２のＡ−Ａ縦断面図である。
【図３】図１の透明基板１１、光シャッターアレー１３、セルフォックレンズアレー１４の積層する積層部分Ｂ−Ｂの縦断面図である。
【図４】光シャッターアレーの構成の１例を示す縦断面図で、（ａ）は非動作時（電圧無印加時）、（ｂ）は動作時（電圧印加時）である。
【図５】本発明の第４実施の形態に係る透明基板の縦断面図である。
【図６】本発明の第５実施の形態に係る光シャッターアレー変調型露光光源の概念斜視図である。
【図７】本発明の第６実施の形態に係る光シャッターアレー変調型露光光源の概念斜視図である。
【符号の説明】
１０、２０、３０  光シャッターアレー変調型露光光源
１１  ガラス基板（透明基板）
１２、１２１、１２２  発光部
１２ａ、１２ｂ、１２ｃ  Ｒ・Ｇ・Ｂ発光部
１３  光シャッターアレー
１４  セルフォックレンズアレー
１５  光量検出手段
１６  発光部駆動回路
１７  画像制御回路
１９  反射膜（金属膜）
Ｐ  印画紙
【図１】
2004327709.tif 000003
【図２】
2004327709.tif 000004
【図３】
2004327709.tif 000005
【図４】
2004327709.tif 000006
【図５】
2004327709.tif 000007
【図６】
2004327709.tif 000008
【図７】
2004327709.tif 000009